(57)【要約】      （修正有）【課題】  イソミミズの食性を利用した、海岸漂着海藻の分解・再資源化およびビジネスシステムを構築する。【解決手段】  イソミミズは堆肥化した海藻にだけに群れるので、漂着海藻を４週間寝かせた微生物が付着した海藻とし、分解が進み半熟状態堆肥状のものを砂の上に投餌する。増殖したイソミミズは光る釣り餌や、養魚飼料及び養鶏を含む畜産用飼料として販売し、さらに、イソミミズより排出された糞砂を天日乾燥法、定温乾燥法にて乾燥後、メッシュサイズが１０μｍ以下のふるいに通して採集された粉末状、顆粒状の、二枚貝や棘皮動物用初期餌料となる人工デトリタス（Ｄｅｔｒｉｔｕｓ）を製造、販売する収益性を混在させたコミュニティビジネス・システムを提供する。【選択図】なし【特許請求の範囲】
【請求項１】
海岸漂着海藻を、海浜の満潮汀線から前浜と後浜の境界までに堆積（高さ２ｍ以内）するか埋却（深さ２ｍ以内）し、潜砂し埋在生活するイソミミズ（Ｐｏｎｔｏｄｒｉｒｌｕｓ  ｍａｔｓｕｓｈｉｍｅｎｓｉｓ）の食性を利用して生物処理する方法。
【請求項２】
請求項１による海岸漂着海藻の再資源化利用により、海岸の保全、美化につとめ、海浜の有機物汚染の浄化に寄与する共益性と、増殖したイソミミズを飼料原料として、さらには自治体からの原料回収費用といった収益性を混在させたビジネス・システム。
【請求項３】
潜砂し埋在生活するイソミミズの飼育床に砂（鉱物の砂）単独か、砂（鉱物の砂）とサンゴ砂、ベントナイト、人工砂、粉砕貝殻、バーミキュライト、ゼオライト、活性炭、海藻（堆肥状）等との２種類以上の混合を使用することを特徴とするイソミミズ養殖方法。
【請求項４】
請求項３の飼育床にて、床内湿度８０〜１００％、温度１０〜３０℃、深さ３０ｃｍ以内の環境で飼育することを特徴とするイソミミズ養殖方法。
【請求項５】
請求項３の飼育床にて、海藻（塊状、フレーク状、液状、粉末状、顆粒状、堆肥状、ゲル状、ペースト状、デトリタス状）を餌とすることを特徴とするイソミミズ養殖方法。
【請求項６】
請求項３〜５の養殖方法により得られたイソミミズを有機物汚染砂塊上に散布し、イソミミズの食性を利用した海浜の有機物汚染を浄化することを特徴とする浄化方法。
【請求項７】
イソミミズを、天日乾燥法、定温乾燥法、真空乾燥法、真空凍結乾燥法にて塊状、フレーク状、粉末状、顆粒状にし、水（Ｈ２Ｏ）に対して発光反応させる飼料原料製造方法。
【請求項８】
請求項３〜５の養殖方法でイソミミズより排出された糞砂を天日乾燥法や定温乾燥法、真空乾燥法、真空凍結乾燥法にて乾燥後、メッシュサイズが１０μｍ以下のふるいに通して採集された粉末状、顆粒状の、二枚貝や棘皮動物用初期餌料となる人工デトリタス（Ｄｅｔｒｉｔｕｓ）製造方法。
【発明の詳細な説明】
【技術分野】
【０００１】  本発明は、海浜環境への悪影響が大きい大量の海岸漂着海藻を、安全、無公害かつ安価に処理することのできるイソミミズの食性を利用した海岸漂着海藻の再資源化利用技術及びビジネス・システム。
【背景技術】
【０００２】  海岸線の長い日本の海浜に打ち上げられる海藻の多くは海浜の美観を阻害し、海藻腐敗による悪臭は地域の環境へ悪影響を与え、海浜管理への負担も大きくしている。現在、この漂着海藻の処理は砂浜での埋却処理で行われているが、いずれの地域においても限界に達しているばかりでなく、一時的な大量の漂着海藻の埋却は、嫌気的な分解過程により生物に有害な硫化水素を発生させる。また、焼却には多大なエネルギーと経費を要する。さらに、有機微生物による発酵処理によって堆肥や餌料を製造する処理方法が提案されているが、微生物の管理が難しくその維持費も高額となり、実用性にかける。
【特許文献１】  特願２００２−３０３０５２
【発明の開示】
【発明が解決しようとする課題】
【０００３】  本来、海岸漂着海藻（ホンダワラ、ワカメ、アオサ等）は、海浜にひそむ生物達（ハマトビムシ、ハマダンゴムシ、ハマベバエ、イソジムカデ、ハサミムシ、イソミミズ等）の食料として分解、排泄され、砂浜に有機物を供給し、保水作用等など大切な役割をはたしている。現在行われている海浜の美化、保全のための対策方法は、コスト上の問題、または一時的な解決にしかならず、実用性にかける。本発明の実現により、自然に近い形での海藻の処理が可能となり、その結果、海陸の自然環境状況の指標となる海浜の美化、保全ができ、海浜管理の多大な処理費用を削除する一助にしたいと考える。
【課題を解決するための手段】
【０００４】  本発明では、海藻を餌とするイソミミズを予め大量に養殖し、この食性を利用して海岸漂着海藻の再資源化利用をすることにより、海岸の保全、美化につとめたり、大量の漂着海藻による海浜の有機物汚染の浄化に寄与する。また、子供達が自然の循環や命の大切さを学ぶ場の提供をしたりする共益性と、増殖したイソミミズを光る釣り餌としてだけではなく、養魚飼料及び養鶏を含む畜産用飼料として販売する収益性を有する。また、イソミミズは摂取食物の同化率が悪く、８０％近くは糞として体外に排出されるため、その糞は、消化率を高めた栄養価が高い魚介類用初期餌料となる可能性大である。これにより、海岸漂着海藻の再資源化利用経路も拡大していき、さらには、原料回収費用としての見地から自治体からの清掃委託の形で収入できれば一つの固定収益に繋がり、持続可能なコミュニティビジネス・システムとすることが可能である。
【発明の効果】
【０００５】  本発明で製造される商品は、釣り餌、養魚飼料、養鶏飼料、すべての家畜飼料が主体である。動物飼料の前途は国際的に見て、エネルギー原料としてバイオエネルギーに大量消費される方向に向かっており、そのため、動物飼料の代替化は必然と想定される。その代替飼料としての有用性は増大するものと考える。さらに副次的効果として海浜の美化、保全、さらにその処理費用の削除が見込まれる。
【発明を実施するための最良の形態】
【０００６】  図１は、イソミミズの食性を利用した海岸漂着海藻のリサイクルを提案することにより、海岸の保全、美化につとめたり、海浜の有機物汚染の浄化に寄与したり、子供達が自然の循環や命の大切さを学ぶ場の提供をしたりする共益性と、増殖したイソミミズを飼料原料として、さらには自治体からの原料回収費用といった収益性を混在させたコミュニティビジネス・システム
【表】
2008000738.tif 000002
【実施例１】
【０００７】  本発明では、イソミミズを三浦半島海岸にて約３００匹採集し試験に供した。飼育容器は素焼きの大型植木鉢を利用し、水はけ用の底穴は砂利で塞いだ。イソミミズは湿度８０〜１００％、砂の中１０〜２０ｃｍの所に主に埋在生活をしているため、飼育床は砂を３０ｃｍの深さになるよう投入した。また、湿度維持のため定期的に散水した。散水は海水でも真水でも飼育に影響はなかった。飼育温度は１０〜３０℃になるようにした。イソミミズの成長には飼育温度が重要な因子であった。ミミズの個体量の測定には、ハンドソーティング法を用いた。成長の至適飼育温度は２０〜２５℃で、１０℃での成長は極めて悪くなり、５℃では成長が止まった。飼育温度３５℃以上ではミミズは急速に斃死していくことが明らかになった。さらに飼育床に砂の層がないとミミズはストレスを感じるのか成長が極めて悪くなった。【０００８】  イソミミズは堆肥化した海藻だけに群れ、新鮮な海藻には群れないため、イソミミズの餌は４週間程寝かせた微生物が付着した海藻とし、分解が進み半熟状態（堆肥状）のものだけを砂の上に投餌した。種イソミミズを投入してから２週間で稚イソミミズ（５ｍｍ）が堆肥化した海藻の中に発生した。２ヶ月後には、約２倍の３００ｇに増殖したイソミミズを海浜の満潮汀線から陸側に埋却（深さ    ｃｍ以内）した１０ｋｇの海岸漂着海藻に投入し、３０日後の投入した海藻減量率は６５％であった。しかし、海藻減量率は飼育温度で大きく変動した。【０００９】  海岸漂着海藻が海浜に埋没され、有機物の一部が嫌気的に分解が進み黒色を呈した有機物汚染砂塊にイソミミズは好んで群をなすため、有機物の一部が嫌気的に分解が進み黒色を呈した有機物汚染砂塊を感熱滅菌し、その中にイソミミズを入れた区と入れない区を設けて、酸揮発性硫化物（ＡＶＳ）の変化を見た。イソミミズを投入しなかった区は当初０．４５ｍｇ／ｇであったが２ヶ月後には０．５４ｍｇ／ｇに達した。イソミミズを投入した区は、投入直後は０．４５ｍｇ／ｇであったが、２ヶ月後には０．１５ｍｇ／ｇとなり、有機物を嫌気的に分解して増殖する硫酸還元菌をイソミミズが摂食し、その結果、硫化水素の発生を抑えたことが明らかになった。【００１０】  イソミミズより排出された６００ｇの糞砂を定温乾燥法にて乾燥後、メッシュサイズが１０μｍ以下のふるいに通して採集された１００ｇの顆粒状のデトリタス（Ｄｅｔｒｉｔｕｓ）状の物を得ることができた。また、釣り用の光る生き餌としての可能性試験として、暗闇で人為的にイソミミズの環帯部分を傷つけたところ発光液が流れ出て白色系の発光を目視観察できた。さらにこの発光液を濾紙に吸い取り自然乾燥した後、暗闇で純水１ｍｌを加えると再び発光した。その結果、発光物質は自然乾燥下では不活性化または分解が起こらないことが確認できた。そのため、凍結死した１ｋｇのイソミミズを、真空凍結乾燥法にて、トラップ冷却温度−４０℃、トラップ除湿容量１Ｌ／回で凍結乾燥後、卓上型コーヒーミルで１５０ｇ粉末状にした、粉末１０ｇが純水１ｍｌに対して発光反応するかを試験したところ１０分ぐらい白色系に発光した。さらに、動物飼料としての栄養基礎成分分析に粉末１００ｇを試験に供したところ、６���％がタンパク質であり、アミノ酸、ヨードアミノ酸組成も多様で、ミネラル成分、ビタミンＢ１、Ｂ２、Ｂ６も豊富に含まれ、その栄養価は魚粉に勝とも劣らない物であった。
【産業上の利用可能性】
【００１１】  イソミミズが持っている発光物質が、有機ＬＥＤ研究開発の対象として利用されている事が一部で知られており、イソミミズの持つ各種化学物質も医薬品、健康食品の研究開発も十分とは言い切れないが行われており、イソミミズの原材料供給源としての役割は大きい物がある。
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
海岸漂着海藻を、海浜の満潮汀線から前浜と後浜の境界までに堆積（高さ２ｍ以内）するか埋却（深さ２ｍ以内）し、潜砂し埋在生活するイソミミズ（Ｐｏｎｔｏｄｒｉｒｌｕｓ  ｍａｔｓｕｓｈｉｍｅｎｓｉｓ）の食性を利用して生物処理する方法。
【請求項２】
請求項１による海岸漂着海藻の再資源化利用により、海岸の保全、美化につとめ、海浜の有機物汚染の浄化に寄与する共益性と、増殖したイソミミズを飼料原料として、さらには自治体からの原料回収費用といった収益性を混在させたビジネス・システム。
【請求項３】
潜砂し埋在生活するイソミミズの飼育床に砂（鉱物の砂）単独か、砂（鉱物の砂）とサンゴ砂、ベントナイト、人工砂、粉砕貝殻、バーミキュライト、ゼオライト、活性炭、海藻（堆肥状）等との２種類以上の混合を使用することを特徴とするイソミミズ養殖方法。
【請求項４】
請求項３の飼育床にて、床内湿度８０〜１００％、温度１０〜３０℃、深さ３０ｃｍ以内の環境で飼育することを特徴とするイソミミズ養殖方法。
【請求項５】
請求項３の飼育床にて、海藻（塊状、フレーク状、液状、粉末状、顆粒状、堆肥状、ゲル状、ペースト状、デトリタス状）や植物プランクトンを餌とすることを特徴とするイソミミズ養殖方法。
【請求項６】
請求項３〜５の養殖方法により得られたイソミミズを有機物汚染砂塊上に散布し、イソミミズの食性を利用した海浜の有機物汚染を浄化することを特徴とする浄化方法。
【請求項７】
イソミミズを、天日乾燥法、定温乾燥法、真空乾燥法、真空凍結乾燥法にて塊状、フレーク状、粉末状、顆粒状にし、水（Ｈ２Ｏ）に対して発光反応させる飼料原料製造方法。
【請求項８】
請求項３〜５の養殖方法でイソミミズより排出された糞砂を天日乾燥法や定温乾燥法、真空乾燥法、真空凍結乾燥法にて乾燥後、メッシュサイズが１０μｍ以下のふるいに通して採集された粉末状、顆粒状の、二枚貝や棘皮動物用初期餌料となる人工デトリタス（Ｄｅｔｒｉｔｕｓ）製造方法
【請求項９】
生体の色測定、生体染色、細胞染色用天然蛍光色素として、イソミミズ生体及び乾燥体を、アルコールか純水を加え、乳鉢中でよく磨砕し、遠心分離機で処理することで上清液と沈殿物（残渣）を得る。この上清液を加温、減圧して濃縮乾固させ、これをヘキ酸かベンゼンで融解し油分を分離除去し、再び蒸発、濃縮乾固させ粗蛍光物質を得る蛍光物質製造方法。
【手続補正２】
【補正対象書類名】明細書
【補正対象項目名】００１０
【補正方法】変更
【補正の内容】
【００１０】  イソミミズより排出された６００ｇの糞砂を定温乾燥法にて乾燥後、メッシュサイズが１０μｍ以下のふるいに通して採集された１００ｇの顆粒状のデトリタス（Ｄｅｔｒｉｔｕｓ）状の物を得ることができた。また、釣り用の光る生き餌としての可能性試験として、暗闇で人為的にイソミミズの環帯部分を傷つけたところ発光液が流れ出て白色系黄緑の発光を目視観察できた。さらにこの発光液を濾紙に吸い取り自然乾燥した後、暗闇で純水１ｍｌを加えると再び発光した。その結果、発光物質は自然乾燥下では不活性化または分解が起こらないことが確認できた。そのため、凍結死した１ｋｇのイソミミズを、真空凍結乾燥法にて、トラップ冷却温度−４０℃、トラップ除湿容量１Ｌ／回で凍結乾燥後、卓上型コーヒーミルで１５０ｇ粉末状にした、粉末１０ｇが純水１ｍｌに対して発光反応するかを試験したところ１０分ぐらい白色系黄緑に発光した。さらに、動物飼料としての栄養基礎成分分析に粉末１００ｇを試験に供したところ、６５％がタンパク質であり、アミノ酸、ヨードアミノ酸組成も多様で、ミネラル成分、ビタミンＢ１、Ｂ２、Ｂ６も豊富に含まれ、その栄養価は魚粉に勝とも劣らない物であった。イソミミズの吸収スペクトルの発光極大は５２０ｎｍ付近にあり、蛍光極大は４１１ｎｍと５２０ｎｍにあった。蛍光を含有した発光物質は環帯部分に主に集積され、外部から黄緑の物質が目視観察できる。自然界生物の中で、このように大量に発光・蛍光物質が集積されているのは希であり、生体の色測定、生体染色、細胞染色用天然蛍光色素としても大変貴重である。そのため、蛍光物質の抽出実験を行った。イソミミズ生体湿重量１０ｇを、メタノールを４０ｃｃを加え、乳鉢中でよく磨砕し、遠心分離機（７０００〜８０００ｒｐｍ・１０分）で処理することで上清液１３ｃｃと沈殿物（残渣）を得た。この上清液１３ｃｃをロータリーエバポレーターに収容し、加温しながらアスピレーターで減圧（６０分）し、メタノールを蒸発、濃縮乾固させ、油分を含有した粘度のある物質を得た。これをヘキ酸で融解し、油分を分離除去し、再び蒸発、濃縮乾固させ粗蛍光物質３０ｍｇを得た。この物質に蛍光検査灯で紫外線を照射したところ強い黄緑色の蛍光を示した。
【手続補正３】
【補正対象書類名】明細書
【補正対象項目名】００１１
【補正方法】変更
【補正の内容】
【００１１】  イソミミズが持っている発光物質が、有機ＬＥＤ研究開発の対象として利用されている事が一部で知られている。また、含有している蛍光物質は安全に生体、細胞等の蛍光染色に利用でき、病変組織に対しても親和性があり、生体物理測定研究開発上重要である。その上、廉価に大量に自然界より採集でき、イソミミズの持つ各種化学物質も医薬品、健康食品の研究開発も十分とは言い切れないが行われており、イソミミズの原材料供給源としての役割は大きい物がある。